(57)【特許請求の範囲】
【請求項１】
第一及び第二の外部端子の間に接続された第一及び第二の二次電池の充放電を制御する充放電制御回路であって、
前記第一及び第二の二次電池の第一電極が接続される第一電源端子と、
前記第一の二次電池の第二電極が接続される第一の第二電源端子と、
前記第二の二次電池の第二電極が接続される第二の第二電源端子と、
前記第一及び第二の二次電池の第二電極と夫々接続された第一及び第二の充放電制御スイッチと前記第二の外部端子の間の電圧が入力される電圧検出端子と、
前記第一の第二電源端子の電圧と前記第二の第二電源端子の電圧と前記電圧検出端子の電圧によって前記第一及び第二の充放電制御スイッチに逆方向の電流が流れたことを検出して、前記第一の二次電池又は前記第二の二次電池が内部ショートしたことを検出する電圧検出部と、
を備えことを特徴とする充放電制御回路。
【請求項２】
第一及び第二の外部端子の間に接続された第一及び第二の二次電池と、
前記第一及び第二の二次電池と並列に接続された請求項１に記載の充放電制御回路と、
前記第一及び第二の二次電池と前記第二の外部端子の間に接続された第一及び第二の充放電制御スイッチと、
を備えたことを特徴とするバッテリー装置。
【発明の詳細な説明】
【技術分野】
【０００１】
本発明は、安全性の高い充放電制御回路及びバッテリ装置に関する。
【背景技術】
【０００２】
複数の二次電池を並列に接続した設けたバッテリ装置は、一つの二次電池が内部ショートを起こした場合に以下のような不具合が発生する。
内部ショートした二次電池は、内部抵抗及び出力電圧が低下するので、並列に接続されている他の正常な二次電池から逆方向に電流が流れる。その逆方向電流は、内部ショートした二次電池の内部抵抗が低いため、大電流になる可能性がある。
【０００３】
上記課題を解決するために、従来のバッテリ装置は、各二次電池と直列に電流検出回路を備え、例えば、電流の流れる方向が正常な二次電池と逆方向であることを検出すると、その放電経路を遮断する（例えば、特許文献１参照）。
【先行技術文献】
【特許文献】
【０００４】
【特許文献１】特開２００１−１８５２２８号公報
【発明の概要】
【発明が解決しようとする課題】
【０００５】
しかしながら、従来のバッテリ装置は、各二次電池と直列に電流検出回路を備えるので、電流検出回路の電流検出用の抵抗によって損失が大きくなる、という欠点があった。
本発明は、以上のような課題を解決するために考案されたものであり、二次電池の出力電圧が低下することのない安全性の高い充放電制御回路及びバッテリ装置を提供する。
【課題を解決するための手段】
【０００６】
従来の課題を解決するために、本発明の充放電制御回路及びバッテリ装置は以下のような構成とした。
並列に接続された二次電池の電圧の差を検出する、または並列に接続された二次電池に夫々接続され充放電を制御する充放電制御スイッチに逆方向の電流が流れたことを検出する電圧検出部を設ける構成とした。
【発明の効果】
【０００７】
本発明の充放電制御回路によれば、電流検出回路の電流検出用の抵抗による損失がなく、且つ安全性の高い充放電制御回路及びバッテリ装置を提供することが出来る、という効果がある。
【図面の簡単な説明】
【０００８】
【図１】本発明の第一の実施形態のバッテリ装置のブロック図である。
【図２】第一の実施形態のバッテリ装置の電圧検出部の一例を示す回路図である。
【図３】本発明の第二の実施形態のバッテリ装置のブロック図である。
【図４】第二の実施形態のバッテリ装置の電圧検出部の一例を示す回路図である。
【発明を実施するための形態】
【０００９】
図１は、本発明の第一の実施形態のバッテリ装置のブロック図である。
バッテリ装置１００は、二次電池１ａ、１ｂと、充放電制御スイッチ２ａ、２ｂと、充放電制御回路１０を備えている。充放電制御回路１０は、少なくとも、電圧検出部１１と、制御部１２を備えている。
【００１０】
二次電池１ａは、充放電制御スイッチ２ａを介して外部端子ＥＢ＋と外部端子ＥＢ−の間に接続される。二次電池１ｂは、充放電制御スイッチ２ｂを介して外部端子ＥＢ＋と外部端子ＥＢ−の間に接続される。充放電制御回路１０は、電源端子ＶＤＤが二次電池１ａ、１ｂの正極端子及び外部端子ＥＢ＋と接続され、電源端子ＶＳＳ１が二次電池１ａの負極と接続され、電源端子ＶＳＳ２が二次電池１ｂの負極と接続され、制御信号出力端子ＣＯａは充放電制御スイッチ２ａの制御端子に接続され、制御信号出力端子ＣＯｂは充放電制御スイッチ２ｂの制御端子に接続される。
【００１１】
電圧検出部１１は、電源端子ＶＳＳ１と電源端子ＶＳＳ２の電圧の差が所定値以上になると、二次電池が内部ショートしたことを検出し、検出信号を出力する。制御部１２は、電圧検出部１１の検出信号を受けて、充放電制御スイッチ２ａまたは充放電制御スイッチ２ｂを制御して、正常な二次電池から内部ショートした二次電池に電流が流れることを防止する。
【００１２】
図２は、第一の実施形態のバッテリ装置１００の電圧検出部１１の一例を示す回路図である。
電圧検出部１１は、比較器１１１及び１１３と、電圧源１１２及び１１４を備えている。電圧源１１２及び１１４は、二次電池の内部ショートを検出するための所定値の電圧を出力する。
【００１３】
比較器１１１は、非反転入力端子＋に電源端子ＶＳＳ２が接続され、反転入力端子−に電圧源１１２を介して電源端子ＶＳＳ１が接続される。比較器１１３は、非反転入力端子＋に電源端子ＶＳＳ１が接続され、反転入力端子−に電圧源１１４を介して電源端子ＶＳＳ２が接続される。
【００１４】
電圧検出部１１は、以下のようにして二次電池が内部ショートしたことを検出する。
二次電池１ａと二次電池１ｂが正常であればほぼ等しい電圧になっているので、電源端子ＶＳＳ１と電源端子ＶＳＳ２は、ほぼ等しい電圧になっている。従って、比較器１１１及び１１３は、非反転入力端子＋の電圧より反転入力端子−の電圧が高いので、非検出を示すＬレベルの信号を出力する。
【００１５】
ここで、電源端子ＶＳＳ１の電圧が電源端子ＶＳＳ２の電圧より電圧源１１２が出力する所定の電圧より低くなると、比較器１１１は、非反転入力端子＋の電圧が反転入力端子−の電圧より高くなるので、検出を示すＨレベルの信号を出力する。即ち、電圧検出部１１は、二次電池１ａの内部ショートを検出する。そして、制御部１２は、比較器１１１が出力する検出信号を受けて、制御信号出力端子ＣＯａから充放電制御スイッチ２ａの制御端子にスイッチをオフする信号を出力する。
【００１６】
また、電源端子ＶＳＳ２の電圧が電源端子ＶＳＳ１の電圧より電圧源１１４が出力する所定の電圧より低くなると、比較器１１３は、非反転入力端子＋の電圧が反転入力端子−の電圧より高くなるので、検出を示すＨレベルの信号を出力する。即ち、電圧検出部１１は、二次電池１ｂの内部ショートを検出する。そして、制御部１２は、比較器１１３が出力する検出信号を受けて、制御信号出力端子ＣＯｂから充放電制御スイッチ２ｂの制御端子にスイッチをオフする信号を出力する。
【００１７】
以上説明したように、本実施形態のバッテリ装置１００によれば、電源端子ＶＳＳ１と電源端子ＶＳＳ２の電圧を比較して二次電池が内部ショートしたことを検出する電圧検出部１１を備えたので、二次電池の出力電圧が低下することなく安全性の高いバッテリ装置を提供することが出来る。
【００１８】
なお、図２に示した電圧検出部１１は、電源端子ＶＳＳ１と電源端子ＶＳＳ２の電圧の差が所定値以上になったことを検出し、検出信号を出力できれば、この回路に限定されるものではない。
【００１９】
また、電圧検出部１１は、電源端子ＶＤＤと電源端子ＶＳＳ１や電源端子ＶＳＳ２の電圧の差が所定値以下になったことを検出しても良いし、電源端子ＶＤＤと電源端子ＶＳＳ１の電圧の差と電源端子ＶＤＤと電源端子ＶＳＳ２の電圧の差が所定値以上になったことを検出しても良い。
【００２０】
また、充放電制御回路１０は、内部ショートを検出した二次電池に接続された充放電制御スイッチをオフするように説明したが、全ての充放電制御スイッチをオフするようにしても良い。
【００２１】
図３は、本発明の第二の実施形態のバッテリ装置のブロック図である。
バッテリ装置２００は、少なくとも、電圧検出部２１と、制御部２２を有する充放電制御回路２０を備えている。
【００２２】
充放電制御回路２０は、電源端子ＶＤＤが二次電池１ａ、１ｂの正極端子及び外部端子ＥＢ＋と接続され、電源端子ＶＳＳ１が二次電池１ａの負極と接続され、電源端子ＶＳＳ２が二次電池１ｂの負極と接続され、過電流検出端子ＶＭが外部端子ＥＢ−と接続され、制御信号出力端子ＣＯａは充放電制御スイッチ２ａの制御端子に接続され、制御信号出力端子ＣＯｂは充放電制御スイッチ２ｂの制御端子に接続される。
【００２３】
電圧検出部２１は、電源端子ＶＳＳ１と過電流検出端子ＶＭ間の電圧及び電源端子ＶＳＳ２と過電流検出端子ＶＭ間の電圧から充放電制御スイッチ２ａと充放電制御スイッチ２ｂに流れる電流の向きを検出して、その電流の向きが異なると、二次電池が内部ショートしたことを検出し、検出信号を出力する。制御部２２は、電圧検出部２１の検出信号を受けて、充放電制御スイッチ２ａまたは充放電制御スイッチ２ｂを制御して、正常な二次電池から内部ショートした二次電池に電流が流れることを防止する。
【００２４】
図４は、第二の実施形態のバッテリ装置２００の電圧検出部２１の一例を示す回路図である。
電圧検出部２１は、比較器２１１、２１３、２２１、２２３と、電圧源２１２、２１４、２２２、２２４を備えている。電圧源２１２及び２１４は、二次電池１ｂの内部ショートを検出するための所定値の電圧を出力する。電圧源２２２及び２２４は、二次電池１ａの内部ショートを検出するための所定値の電圧を出力する。
【００２５】
比較器２１１は、非反転入力端子＋に電圧源２１２を介して電源端子ＶＳＳ２が接続され、反転入力端子−に過電流検出端子ＶＭが接続される。比較器２１３は、非反転入力端子＋に過電流検出端子ＶＭが接続され、反転入力端子−に電圧源２１４を介して電源端子ＶＳＳ１が接続される。
【００２６】
比較器２２１は、非反転入力端子＋に過電流検出端子ＶＭが接続され、反転入力端子−に電圧源２２２を介して電源端子ＶＳＳ２が接続される。比較器２２３は、非反転入力端子＋に電圧源２２４を介して電源端子ＶＳＳ１が接続され、反転入力端子−に過電流検出端子ＶＭが接続される。
【００２７】
従って、比較器２１１は充放電制御スイッチ２ｂに電流が充電方向に流れている時にＨレベルの信号を出力し、比較器２１３は充放電制御スイッチ２ａに電流が放電方向に流れている時にＨレベルの信号を出力し、比較器２２１は充放電制御スイッチ２ｂに電流が放電方向に流れている時にＨレベルの信号を出力し、比較器２１３は充放電制御スイッチ２ａに電流が充電方向に流れている時にＨレベルの信号を出力する。
【００２８】
電圧検出部２１は、以下のようにして二次電池が内部ショートしたことを検出する。
二次電池１ａと二次電池１ｂが正常であれば、充放電制御スイッチ２ａと充放電制御スイッチ２ｂは、同じ向きに充放電電流が流れている。従って、比較器２１１及び２１３は一方がＨレベルで他方がＬレベルの信号を出力し、ＡＮＤ回路２１５はＬレベルの信号を出力する。また、比較器２２１及び２２３は一方がＨレベルで他方がＬレベルの信号を出力し、ＡＮＤ回路２２５はＬレベルの信号を出力する。
【００２９】
ここで、二次電池１ａが内部ショートすると、二次電池１ｂから二次電池１ａ、充放電制御スイッチ２ａ、充放電制御スイッチ２ｂと電流が流れる。そして、電源端子ＶＳＳ１の電圧が過電流検出端子ＶＭの電圧より電圧源２２４が出力する所定の電圧より高くなると、比較器２２３は、非反転入力端子＋の電圧が反転入力端子−の電圧より高くなるので、検出を示すＨレベルの信号を出力する。また、電源端子ＶＳＳ２の電圧が過電流検出端子ＶＭの電圧より電圧源２２２が出力する所定の電圧より低くなると、比較器２２１は、非反転入力端子＋の電圧が反転入力端子−の電圧より高くなるので、検出を示すＨレベルの信号を出力する。即ち、電圧検出部２１は、二次電池１ａの内部ショートを検出する。そして、制御部２２は、電圧検出部２１が出力する検出信号を受けて、制御信号出力端子ＣＯａから充放電制御スイッチ２ａの制御端子にスイッチをオフする信号を出力する。
【００３０】
また、二次電池１ｂが内部ショートすると、二次電池１ａから二次電池１ｂ、充放電制御スイッチ２ｂ、充放電制御スイッチ２ａと電流が流れる。そして、電源端子ＶＳＳ１の電圧が過電流検出端子ＶＭの電圧より電圧源２１４が出力する所定の電圧より低くなると、比較器２１３は、非反転入力端子＋の電圧が反転入力端子−の電圧より高くなるので、検出を示すＨレベルの信号を出力する。また、電源端子ＶＳＳ２の電圧が過電流検出端子ＶＭの電圧より電圧源２１２が出力する所定の電圧より高くなると、比較器２１１は、非反転入力端子＋の電圧が反転入力端子−の電圧より高くなるので、検出を示すＨレベルの信号を出力する。即ち、電圧検出部２１は、二次電池１ｂの内部ショートを検出する。そして、制御部２２は、電圧検出部２１が出力する検出信号を受けて、制御信号出力端子ＣＯｂから充放電制御スイッチ２ｂの制御端子にスイッチをオフする信号を出力する。
【００３１】
以上説明したように、本実施形態のバッテリ装置２００によれば、充放電制御スイッチ２ａと充放電制御スイッチ２ｂに流れる電流が逆方向になったことによって二次電池が内部ショートしたことを検出する電圧検出部２１を備えたので、二次電池の出力電圧が低下することなく安全性の高いバッテリ装置を提供することが出来る。
【００３２】
なお、図４に示した電圧検出部２１は、充放電制御スイッチ２ａと充放電制御スイッチ２ｂに流れる電流が逆方向になったことを検出し、検出信号を出力できれば、この回路に限定されるものではない。
【００３３】
また、充放電制御回路２０は、内部ショートを検出した二次電池に接続された充放電制御スイッチをオフするように説明したが、全ての充放電制御スイッチをオフするようにしても良い。
【符号の説明】
【００３４】
１０、２０  充放電制御回路
１１、２１  電圧検出部
１２、２２  制御部
１１１、１１３、２１１、２１３、２２１、２２３  比較器
【図１】
0006794042.tif 000002
【図２】
0006794042.tif 000003
【図３】
0006794042.tif 000004
【図４】
0006794042.tif 000005